(57)【要約】【課題】本発明は様々な体型に清潔に使用できる、背中に軟膏を一人で塗布するための補助具である。【解決手段】本発明は軟膏塗布部に２つの回転可能な塗布面を使用することにより可動域が広がり、塗布面が着脱可能なことで清潔に使用できる。ハンドル部に伸縮性をもたらすことで体型を選ばず、持ち手の柄に湾曲を付けることによりさらに可動域が増す。【選択図】図１
2019155034.tif 000002
【特許請求の範囲】
【請求項１】
連動性のない２つの円柱形の軟膏塗布面に３６０度の回転性を持たせた補助具である。
【請求項２】
前記塗布面は着脱、洗浄可能の塗布面のため清潔を保てることを特徴とする請求項１記載の補助具である。
【請求項３】
塗布面が回転する際に抜けないよう洗浄可能なストッパーを付けている補助具である。
【請求項４】
前記請求項１、２、３記載の軟膏塗布補助具のもち手の柄は２本であり、途中にたわみ防止のプレートがあり、塗布面約１６０度の湾曲、および握り手側に約１５０度の湾曲をつけた柄をもつ補助具である。
【請求項５】
前記請求項１、２、３、４記載の軟膏塗布補助具の２本の柄に伸長性を加え、使用者の体型に合わせられることを特徴とした、背中に軟膏を一人で塗布できる補助具である。
【発明の詳細な説明】
【技術分野】
【０００１】本発明は、一人で背中に軟膏を塗布できる補助具である。
【背景技術】
【０００２】本発明は単身世帯が増加する社会的背景を鑑み、単身で背部に軟膏を希望の箇所に塗布できる補助具を使用することで、単身者のストレス軽減および、介護者の負担軽減、経済的負担も軽減できる。従って、第三者による背部への軟膏塗布により近い状態を作ることで、単身での塗布を可能とした。一人で軟膏を背中に塗布する際、体型、体格により、塗布しにくい箇所があり、塗られずにいた。また塗布面の清潔性を保つことが難しく、従来の器具では解決されにくかった。
【先行技術文献】
【特許文献】
【０００３】
【特許文献１】特開２０１４−０４６１９０
【特許文献】
【０００４】
【特許文献２】特開２００６−０２０８６２
【実用新案文献】
【０００５】
【実用新案文献１】
実登３１７７６７６
【非特許文献】
【０００６】
【非特許文献１】旭電機化成株式会社  軟こうぬりちゃん
【発明の開示】
【発明が解決しようとする課題】
【０００７】本発明は従来、一人では塗布されにくいとされている、肩甲骨下から肩にかけての範囲が容易に塗布できるよう考慮した。特に一人で塗る際は上腕挙上に伴い、肩甲骨が突出し、背中が平らにならないため、より細かい動きを必要とする。そのため大きすぎない２つの連動性のない回転性のある塗布面が動くことで希望の箇所に塗布することを可能としている。皮膚接面部である塗布面は交換および洗浄可能なため清潔を保つことができる。また長さ調整ができるため、体型に合わせ、背中の広さにも対応できかつ上腕挙上ができない人でも柄の２か所にわずかな湾曲を付けているため、側腹部側からの塗布を可能とした補助具である。
【課題を解決するための手段】
【０００８】上記課題を解決するための第一の発明は、２つの連動しない円柱形の塗布面を２本の柄の先端外側９０度を軸にして３６０度回転させることにより細かい可動域が持てることである。従って手の届かない患部を容易に塗布することができる。【０００９】第二の発明は、塗布面の清潔性を保つために、２つの円柱形の塗布面本体が、各々の柄の先端外側９０度に屈曲した柄を軸として回転できるようになり、軸の先端にストッパーを付けることで軸から抜けないようにしている。ストッパーの着脱により円柱形の塗布面を軸から外し、洗浄および交換可能にしている。【００１０】第三の発明は、塗布面を支える２本の柄を独立した内筒と外筒で形成することにより伸縮性が可能となる。また使用者の体型に合わせ、塗布面までの長さが変えられるため塗り残しがないようにした補助具である。また腕の挙上ができない場合も側腹部から長さを調整することで塗りにくいところも塗布できる補助具である。【００１１】第四の発明は、２本の柄の塗布面、および握り手側への角度である。塗布面側へは約１６０度内側に、握り手側へは約１５０度内側に湾曲することで背中へ塗布する際、手に余計な力を加えずに塗布できる補助具である。さらに２本の柄がたわまないように、塗布面側の湾曲部位の下方にプレートで固定することでされに余計な力を加えないで塗布できる。【００１２】第五の発明は、２本の柄の末端の握り部分は円柱状のため、上腕挙上不可能な人が側腹部からでも逆手握りがしやすい補助具である。
【発明の効果】
【００１３】上述のように、本発明の軟膏塗布補助具は、塗布しにくい背中を単身で塗布でき、塗布部が着脱可能なため清潔性を保て、長さ調節もできる補助具として役立つ。
【発明を実施するための最良の形態】
【００１４】以下に発明の実施例を示し最良の形態について説明する。
【実施例１】
【００１５】補助具本体の２つの軟膏塗布面は図１の１である大きすぎない、軽量プラスチックまたはシリコン製円柱形である。塗布面である円柱形の底面の直径は約３０ｍｍ、高さ約４５ｍｍで円柱形の中央は図１の３である柄の軸棒がはいる回転できる約１０ｍｍの空洞がある。
図１の３はそれぞれ外側に９０度屈曲しており、円柱形の軸に図１の３は貫通している。屈曲した柄の先端に当たる部分は柄から塗布面である土台が抜けないよう図１の２、図２の２のストッパーを付ける。そのストッパーは軟膏が付着する可能性があるため、洗浄可能でさびない、プラスチック製である。また土台本体を着脱可能にするため、ストッパーである部分はねじ式か、はめ込み式の誰でも容易に使用できるものにする。【００１６】塗布面の中心を回転軸とする柄は図１の３，４図２の３，４の２本のステンレス製で全長最短３５ｃｍほど、最長４５ｃｍほどに伸縮できる２本の非連続性の柄である。２本の柄は図２の８である塗布面側と図２の９である持ち手側の２か所に湾曲部分を設ける。
そのことで背中に柄を回した時、手首に力をかけず背中面に塗布面が接着しやすくなる。２本の柄は図２の８の塗布面側から５ｃｍあたりに約１６０度の湾曲を内側につけ、図２の９の２本の柄の持ち手側には約１５０度の湾曲を内側に再度つける。【００１７】持ち手側の柄である２本は伸縮性を持たせるため図１の４、図２の４の外筒の役目も持つ。塗布面側の柄である２本は伸縮性を持たせるため図１の３、図２の３の内筒の役目も持つ。持ち手側の湾曲が終わる部分と塗布面の湾曲が終わる直線部の約２０ｃｍの間の図１の６、図２の６の間に１０ｃｍの伸縮ができる内筒と外筒の柄の接合部を設ける。【００１８】柄の内筒側の直線部分に図１の５、図２の５の２本がたわまないようにＡＢＳ樹脂などで固定する。【００１９】持ち手は２本の柄を一緒に保持、固定可能なＡＢＳ樹脂など図１の７、図２の７の円柱形である。円柱形にすることで逆手持ちにした際も手の平への負担を低減できる。
【図面の簡単な説明】
【００２０】
【図１】軟膏塗布補助具の正面図
【図２】軟膏塗布補助具の側面図
【図３】内筒と外筒の接続部の正面図
【図４】２本の柄を固定するプレート
【符号の説明】
【００２１】１  円柱形の軟膏を塗る軸空間のある土台
２  ストッパー
３  ハンドル内筒
４  ハンドル外筒
５  プレート
６  接合部
７  持ち手
８  塗布面側の湾曲部
９  持ち手側の湾曲部
【図１】
2019155034.tif 000003
【図２】
2019155034.tif 000004
【図３】
2019155034.tif 000005
【図４】
2019155034.tif 000006
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
持ち手と前記持ち手に保持され先端がそれぞれ外側に９０度屈曲している２本の柄と側面が塗布面であり前記２本の柄の先端を軸にして、それぞれが連動性なく回転可能な２つの円柱形の塗布部を有することを特徴とする一人で背中に軟膏を塗布できる補助具。
【請求項２】
前記軟膏塗布部は前記２本の柄から着脱して洗浄可能であることを特徴とする請求項１に記載の一人で背中に軟膏を塗布できる補助具。
【請求項３】
軟膏塗布部が回転する際、２本の柄から抜けないようにするために柄の先端にストッパーを有することを特徴とする請求項１又は２記載の一人で背中に軟膏を塗布できる補助具。
【請求項４】
前記２本の柄の途中には前記２本の柄がたわまないように固定するプレートがあり、前記２本の柄は、前記軟膏塗布使用時に背中側に向かって１６０度の湾曲、および前記持ち手側に使用時に背中側に向かって１５０度の湾曲を持つこと特徴とする請求項１、２、３いづれかに記載の一人で背中に軟膏を塗布できる補助具。
【請求項５】
前記２本の柄は長手方向に伸縮可能であることを特徴とする請求項１、２、３、４いづれかに記載の一人で背中に軟膏を塗布できる補助具。
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
持ち手と、前記持ち手に保持され先端がそれぞれ外側に９０度屈曲している２本の柄と、側面が塗布面であり前記２本の柄の先端を軸にして、それぞれが連動性なく回転可能な２つの円柱形の軟膏塗布部を有することを特徴とする一人で背中に軟膏を塗布できる補助具。
【請求項２】
前記軟膏塗布部は前記２本の柄から着脱して洗浄可能であることを特徴とする請求項１に記載の一人で背中に軟膏を塗布できる補助具。
【請求項３】
前記軟膏塗布部が回転する際、前記２本の柄から抜けないようにするために柄の先端にストッパーを有することを特徴とする請求項１又は２記載の一人で背中に軟膏を塗布できる補助具。
【請求項４】
前記２本の柄の途中には前記２本の柄がたわまないように固定するプレートがあり、前記２本の柄は、前記軟膏塗布部側に使用時に背中側に向かって１６０度の湾曲、および前記持ち手側に使用時に背中側に向かって１５０度の湾曲を持つこと特徴とする請求項１〜３のいずれかに記載の一人で背中に軟膏を塗布できる補助具。
【請求項５】
前記２本の柄は長手方向に伸縮可能であることを特徴とする請求項１〜４のいずれかに記載の一人で背中に軟膏を塗布できる補助具。